(57)【要約】【課題】オルゴールに設けられたゼンマイを動力とし、ゼンマイの回転軸に歯車を備えることによって、オルゴールを正常に鳴すと共に、遊技者が走行玩具自体を押さずに走行させることができる走行玩具を提供することを課題とする。【解決手段】ゼンマイを用いたオルゴールを有する走行玩具であって、前記オルゴールのゼンマイの回転軸に軸着した欠歯冠歯車と、前記欠歯冠歯車と係合し、同じ軸上に設けられた２つの小歯車とで構成した駆動部と、前記駆動部の駆動によって回転する車輪とを設けて構成した。【選択図】図１
2006122503.tif 000002
【特許請求の範囲】
【請求項１】
ゼンマイを用いたオルゴールを有する走行玩具であって、前記オルゴールのゼンマイの回転軸に軸着した欠歯冠歯車と、前記欠歯冠歯車と係合し、同じ軸上に設けられた２つの小歯車とで構成した駆動部と、前記駆動部の駆動によって回転する車輪とを構成し、前記駆動部は、前記欠歯冠歯車によって前記各小歯車に交互に歯合し、前記各小歯車が軸着した軸を正・逆回転させる事によって、前記走行玩具を前進及び後進走行させることを特徴とした走行玩具。
【請求項２】
請求項１において、前記走行玩具には、床面との摩擦によって回転する従動輪と、前記従動輪の回転によって動作する第一動作部とを備えたことを特徴とした走行玩具。
【請求項３】
請求項２において、前記走行玩具には、形象体を設け、前記第一動作部は、前記形象体の一部を動作させるようにしたことを特徴とした走行玩具。
【請求項４】
請求項３において、前記第一動作部は、形象体の頭部を模して形成され、前記第一動作部は、前記走行玩具が前進時に前記頭部が前方を向くように回転動作し、前記走行玩具が後進時に前記頭部が後方側を見るように回転動作することを特徴とした走行玩具。
【請求項５】
請求項１乃至４のいずれかにおいて、前記走行玩具には、前記駆動部の駆動によって動作する第二動作部を備えたことを特徴とした走行玩具。
【発明の詳細な説明】
【技術分野】
【０００１】
本発明は、オルゴールを有する走行玩具に関するものである。
【背景技術】
【０００２】
従来、オルゴールを有する走行玩具において特開平０６−２８５２６５号公報「走行玩具」のように、車輪の駆動に合わせ、オルゴールのドラム軸を回転させるもので、車輪の回転方向に関わらず、オルゴールのドラムを常に一定方向へ回転させ、オルゴールを正常に鳴らすことできるものであった。
【０００３】
しかしながら、該走行玩具を走行させ、オルゴールを鳴らす為には、遊技者が、走行玩具自体を押して走行させる必要があるものであった。そこで、オルゴールを正常に鳴すと共に、遊技者が走行玩具自体を押さずに走行させる走行玩具が求められていた。
【特許文献１】特開平０６−２８５２６５号公報
【発明の開示】
【発明が解決しようとする課題】
【０００４】
そこで、本発明は、上記従来技術の問題点に斯かる実情に鑑みなされたもので、オルゴールに設けられたゼンマイを動力とし、ゼンマイの回転軸に歯車を備えることによって、オルゴールを正常に鳴すと共に、遊技者が走行玩具自体を押さずに走行させることができる走行玩具を提供することを課題とする。
【課題を解決するための手段】
【０００５】
請求項１記載の発明は、ゼンマイを用いたオルゴールを有する走行玩具であって、前記オルゴールのゼンマイの回転軸に軸着した欠歯冠歯車と、前記欠歯冠歯車と係合し、同じ軸上に設けられた２つの小歯車とで構成した駆動部と、前記駆動部の駆動によって回転する車輪とを構成し、前記駆動部は、前記欠歯冠歯車によって前記各小歯車に交互に歯合し、前記各小歯車が軸着した軸を正・逆回転させる事によって、前記走行玩具を前進及び後進走行させることを特徴とする。
【０００６】
請求項２記載の発明は、請求項１において、前記走行玩具には、床面との摩擦によって回転する従動輪と、前記従動輪の回転によって動作する第一動作部とを備えたことを特徴とする。
【０００７】
請求項３記載の発明は、請求項２において、前記走行玩具には、形象体を設け、前記第一動作部は、前記形象体の一部を動作させるようにしたことを特徴とする。
【０００８】
請求項４記載の発明は、請求項３において、前記第一動作部は、形象体の頭部を模して形成され、前記第一動作部は、前記走行玩具が前進時に前記頭部が前方を向くように回転動作し、前記走行玩具が後進時に前記頭部が後方側を見るように回転動作することを特徴とする。
【０００９】
請求項５記載の発明は、請求項１乃至４のいずれかにおいて、前記走行玩具には、前記駆動部の駆動によって動作する第二動作部を備えたことを特徴とする。
【発明の効果】
【００１０】
請求項１記載の発明によれば、オルゴールに設けられたゼンマイを動力とし、ゼンマイの回転軸に歯車を備えることによって、オルゴールを正常に鳴すと共に、遊技者が走行玩具自体を押さずに前後方向へ走行させることができる。
【００１１】
請求項２記載の発明によれば、ゼンマイの動力とは別に、床面との摩擦によって回転する従動輪の回転力を利用して、走行玩具に設けられた第一動作部を動作させることができる。
【００１２】
請求項３記載の発明によれば、該走行玩具には、形象体が設けられ、該形象体の一部を動作させるようにすることによって、遊技者に対して趣向の高い走行玩具を提供することができる。
【００１３】
請求項４記載の発明によれば、該走行玩具が、前進走行するときには、形象体の頭部が走行玩具の前方を見るよう回転し、後進走行するときには、形象体の頭部が走行玩具の後方側に向けて回転し、形象体が後方確認をしつつ後進走行しているかのように表現でき、遊技者に対して趣向の高い走行玩具を提供することができる。
【００１４】
請求項５記載の発明によれば、ゼンマイの動力を元に動作する第二動作部を動作させることができる。
【発明を実施するための最良の形態】
【００１５】
ゼンマイを用いたオルゴールを有する走行玩具であって、前記オルゴールのゼンマイの回転軸に軸着した欠歯冠歯車と、前記欠歯冠歯車と係合し、同じ軸上に設けられた２つの小歯車とで構成した駆動部と、前記駆動部の駆動によって回転する車輪と、床面との摩擦によって回転する従動輪と、前記従動輪の回転によって動作する第一動作部と、前記駆動部の駆動によって動作する第二動作部と、形象体とを設けて構成した。
【００１６】
また、前記第一動作部は、形象体の頭部を模して形成され、前記第一動作部は、前記走行玩具が前進時に前記頭部が前方を向くように回転動作し、前記走行玩具が後進時に前記頭部が後方側を見るように回転動作する。
【実施例】
【００１７】
図１は、本発明の一実施例である走行玩具の外観を示す図である。実施例の走行玩具１０は、外輪１２を有する蒸気船を模した形状となっており、蒸気船の甲板に、形象体１４となるキャラクター人形が設けられ、該キャラクター人形が舵をとり恰も蒸気船を操舵しているかのように形成している。
【００１８】
走行玩具１０は、オルゴール１８より音楽を奏でながら前後方向へと走行すると共に、舵７８と外輪１２を正・逆回転させ、キャラクター人形の頭部１６を前後方向へ振る動作を行うようになっている。
【００１９】
図２及び図３を用いて説明を行う。図２は、走行玩具１０の分解斜視図面であり、図３は、機構部２０の分解斜視図面となっている。走行玩具１０は、図２及び図３に示すように駆動部２２、第一動作部２４、第二動作部２５、形象体１４からなる機構部２０と、装飾品となる外装部品２６で構成されている。また走行玩具１０は、機構部２０に、船底、船枠、蒸気機関を模した外装部品２６を組み付けたものである。
【００２０】
図３及び図４を用いて、機構部２０の説明を行う。機構部２０の形象体１４は、キャラクター人形を模した形に形成され、第一動作部２４は、該キャラクター人形の頭部１６を模して形成され、第二動作部２５は、舵７８を模して形成されたものである。また形象体１４は、例えば、動物・ロボット・仮想のキャラクターなど、どのような形象体１４であっても構わない。また、第一動作部２４及び第二動作部２５は、該形象体１４の手・頭・足などの一部を模して形成してもよく、その他にスクリュー、ハンドルなどを模して形成し動作させるようにしてもよい。
【００２１】
次に駆動部２２の構成は、オルゴール１８のゼンマイ２８により回転するシリンダ軸４０及びシリンダ軸４０の先端に取付けた欠歯冠歯車３４と２つの小歯車３６によって構成されており、オルゴール１８は一般的なゼンマイ２８、シリンダ３０、コーム３２を備えている。
【００２２】
まずオルゴール１８の説明を行う。オルゴール１８には、シリンダ式とディスク式の２種のオルゴール１８が有るが、どちらのオルゴール１８でも構わない。実施例では、シリンダ式のオルゴール１８を使用している。
【００２３】
ゼンマイ２８は金属製の帯のような形をし、渦巻きのように巻かれているスプリング状のもので、巻き上げられることによって力が貯えられるようになっており、図示しないがレバー操作によって、ゼンマイ２８の回転を作動させたり止めたりすることが可能となっている。
【００２４】
またゼンマイ２８の巾と厚みはゼンマイ２８の発生するトルクに大きく影響を及ぼすようになっており、ゼンマイ２８の巾が２倍になれば２倍のトルクを発生し、厚みが２倍になると８倍のトルクを発生するようになる。また、ゼンマイ２８の持続時間は、ゼンマイ２８の長さが長くなるほど力の発生する持続時間が伸びるようになっている。
【００２５】
次にシリンダ３０は、円筒形に設けられ、円筒外周面にピンが突設して形成されている。またコーム３２は、櫛形状となっており、該櫛の１本１本の歯は、その長さや、重さなどで振動する周波数が変わり、音階を奏でるようになっている。ゼンマイ２８の回転力によって、該シリンダ３０が回転し、ピンが歯を持ち上げてはじくことによって、音を発生するようになっており、連続してピンが歯をはじくことによって音楽を出力するようになっている。このピンの配置と歯の構成を変えることによって、様々な音楽を奏でることが可能となっている。
【００２６】
そして駆動部２２の欠歯冠歯車３４と、２つの小歯車３６の説明を行う。欠歯冠歯車３４は、オルゴール１８のシリンダ軸４０の先端に軸着し、オルゴール１８に設けられたゼンマイ２８の回転力によって回転するようになっている。
【００２７】
欠歯冠歯車３４は、円周の周縁の一部だけに歯部に有する歯車となっている。また、２つの小歯車３６は、同じ軸４２に該欠歯冠歯車３４に歯合するように隣接して軸着している。欠歯冠歯車３４が一定方向に回転を継続すると、２つの小歯車３６に交互に歯合し該軸４２は交互に正・逆回転するようになっている。欠歯冠歯車３４の歯と、小歯車３６の歯との歯合始めの際に起こる負荷と、回転の方向の転換による負荷が大きい歯車構造となっており、比較的高トルクを容易に発生させることのできるゼンマイ２８が好適である。
【００２８】
また軸４２の両先端に車輪４４が設けられており、該車輪４４の外周には、環状の弾性体４６が設けられている。この弾性体４６の作用によって路面との摩擦を増やし、車輪４４の空転を減らようになっている。車輪４４は、ゼンマイ２８の回転力が伝達され走行玩具１０自体を前進及び後進走行させることができる。尚、この車輪４４は、外装部品２６の内側に配置され、走行玩具１０の外部からは見え難くしている。
【００２９】
また該軸４２には、第一平歯車４８が軸着しており、該第一平歯車４８と中間歯車を介して係合する第二平歯車５０が設けられている。該第二平歯車５０には、軸５２が軸着され該軸５２の両先端は外装部品２６より外側に延びる長さとして、両先端には外輪１２が設けられている。外輪１２は、ゼンマイ２８の回転力が伝達され、走行玩具１０の前進及び後進走行に合わせて外輪１２の回転方向が変化することによって、趣向の高い玩具とすることができる。
【００３０】
第一動作部２４の動作を説明する。走行玩具１０の前方には、走行玩具１０の後方に設けられた車輪４４と共に玩具自体を支える従動輪５４が設けられ、該従動輪５４の回転によって第一動作部２４を動作させるようになっている。
【００３１】
従動輪５４は、玩具を安定して保持する為に、軸に連接する２つの車輪で形成されている。また各車輪の外周には、環状の弾性体４６が設けられ、路面との摩擦を増やし、従動輪５４の空転を減らすようになっている。この従動輪５４が回転することによって、従動輪５４の上に載置された円板５６が回転するようになっている。該円板５６には軸５８が軸着され、軸５８の上端に係合部６０が軸着されている。従って該円板５６の回転によって軸５８と共に係合部６０が回転するようになる。また円板５６は、円板５６の突起５７と、軸５８の支持板の裏面係止部により、その回転範囲は９０°〜１２０°程度に制限されている。
【００３２】
そして係合部６０は、形象体１４の頭部１６を模した第一動作部２４と係合し、従動輪５４の回転によって軸５８が回転し、第一動作部２４（頭部１６）が回転するようになっている。また走行玩具１０が、前後方向へ走行するときに円板５６の突起５７により回転範囲が制限されている為に、形象体１４の頭部１６が１回転せずに、所定の範囲内で、頭部１６を前後へと振る動作を行うことが可能となっている。
【００３３】
また、頭部１６の回転角度を走行玩具１０の前方を向く角度から、走行玩具１０の後方側を見ることのできる角度までに回転を抑制することによって、走行玩具１０が前進走行している際には、頭部１６は走行玩具の前方を向くように回転させ、走行玩具１０が後進走行している際には、頭部１６は恰も後方確認するかのように走行玩具１０の後方側を向くように回転させることによって、キャラクター人形が走行玩具１０である蒸気船を操縦しているかのように表すことができるようになっている。
【００３４】
図３・４を用いて次に第二動作部２５（舵７８）を説明する。ゼンマイ２８からの回転力が伝達される軸５２には、偏心カム５３が軸着されており、この偏心カム５３の回転によって、キャラクター人形が操舵する舵７８が、正・逆回転する動作をするようになっている。この第二動作部２５（舵７８）を回動させる機構の構成としては、偏心カム５３、揺動継手６２、Ｌ字型継手７０、係合凸板７６が用いられている。
【００３５】
揺動継手６２は、端部に該偏心カム５３と係合する長穴６４と、中央部に機構部２０に設けられた軸に軸支する軸穴６６と、長穴６４の対向する端部に凸部６８を有している。またＬ字型継手７０には、キャラクター人形を載置する台座に設けられた軸に回動自在に軸支され、このＬ字型継手７０の端部には各々に凹部７２が形成されている。この凹部７２には、縦方向に揺動動作する揺動継手６２の凸部６８が係合し、別の凹部７２には、一部を凸形状に形成された係合凸板７６が係合するようになっている。舵７８は、舵軸８０を中心に回動自在に設けられ、舵７８の下方には係合凸板７６が固着されている。
【００３６】
第二動作部２５（舵７８）の動作を説明する。ゼンマイ２８からの回転力によって、偏心カム５３が回転し、その回転によって揺動継手６２は、軸穴６６を中心に縦方向に揺動動作を行う。該揺動継手６２が縦方向に揺動動作を行うことによって、Ｌ字型継手７０は、軸穴７２を中心として一端を上下に他端を左右に揺動させるように回転運動を行う。そして、Ｌ字型継手７０の回動運動により揺動継手６２からの縦方向の揺動動作を横方向への揺動動作へ変換し、係合凸板７６を横方向へ揺動動作させることができる。このため係合凸板７６が揺動運動することによって、係合凸板７６が固着される舵７８は、舵軸８０を中心に回動することになる。
【００３７】
また、実施例のようにキャラクター人形の両手を舵７６に嵌着することによって、恰もキャラクター人形が、走行玩具１０を操舵しているかのように表すことができる。
【００３８】
上述のように構成することによって、走行玩具１０のオルゴール１８のゼンマイ２８を巻き、ゼンマイ２８を作動させると、走行玩具１０は、オルゴール１８より音楽を奏でながら前進及び後進走行を行うと共に、第二動作部２５である舵７８と外輪１２を正・逆回転させる。この走行玩具１０の前進及び後進走行によって従動輪５４が回転し、その回転によって第一動作部２４である形象体１４の頭部１６が前方及び後方に向けて回転動作させることができるようになる。
【００３９】
この他に、従動輪５４の回転によって、第一動作部２４を動作させる場合において、回転力をクランク動作や、スライド動作に変換し、キャラクターの手を振るような動作や、首が伸びるような動作を行わせるようにすることもできるようになっている。
【００４０】
この以上説明したように構成することにより、オルゴールに設けられたゼンマイを動力とし、ゼンマイの回転軸に歯車を備えることによって、オルゴールを正常に鳴すと共に、遊技者が走行玩具自体を押さずに走行させることができる走行玩具を提供することができる。また、好ましい実施例を挙げて本発明を説明したが、本発明はその実施例に限定されるものではなく、特許請求の範囲に記載した技術的範囲内で種々に改変できる。
【図面の簡単な説明】
【００４１】
【図１】本発明の一実施例である走行玩具の外観を示す図である。
【図２】本発明の一実施例である走行玩具の分解斜視図面である。
【図３】本発明の一実施例である走行玩具の機構部の分解斜視図面である。
【図４】本発明の一実施例である走行玩具の第二動作部の動きを示す図面である。
【符号の説明】
【００４２】
１０  走行玩具
１２  外輪
１４  形象体
１６  頭部
１８  オルゴール
２０  機構部
２２  駆動部
２４  第一動作部
２６  外装部品
２８  ゼンマイ
３０  シリンダ
３２  コーム
３４  欠歯冠歯車
３６  小歯車
４０  シリンダ軸
４２  軸
４４  車輪
４６  弾性体
４８  第一平歯車
５０  第二平歯車
５２  軸
５３  偏心カム
５４  従動輪
５６  円板
５７  突起
５８  軸
６０  係合部
６２  揺動継手
６４  長穴
６６  軸穴
６８  凸部
７０  Ｌ字型継手
７２  凹部
７４  軸穴
７６  係合凸板
７８  舵
８０  舵軸
【図１】
2006122503.tif 000003
【図２】
2006122503.tif 000004
【図３】
2006122503.tif 000005
【図４】
2006122503.tif 000006